(57)【要約】【課題】本発明は携帯電話機だけではなく財布や鞄などを外出時に忘れてしまった場合、大変不便になり、買い物やチケットの予約ができないばかりでなく特に携帯電話機の携行忘れをした場合、必要とされる情報さえも収集することができない。【解決手段】携帯電話機や財布などの携行品にＩＣタグを貼付し、外出時や帰宅時にＩＣタグのメモリデータを読み取り、必要とさせる携行品を持っているかを検知し、必要な携行品が持っていないと判断できた場合に報知することで上記課題を解決する。【選択図】        図１
2007048248.tif 000002
【特許請求の範囲】
【請求項１】
物品情報を記憶するメモリ部を備えた無線通信端末装置と、人の接近または移動を検知する検知部と、前記無線通信端末装置のメモリ部の情報を読み取る読取部と、携行品データを記憶した記憶部と、無線通信端末装置のメモリデータと携行品データを比較し判定結果を報知する放置部と、前記各部を制御する制御部を備え、人の接近、または移動を検知するとともに無線通信端末装置部のメモリデータを読み取り、携行品データとを比較し、結果にもとづいて報知部に報知させることを特徴とする物品忘れ防止装置。
【請求項２】
人体の接近または通過を判定する第一ステップと、無線通信端末装置内のメモリデータを読み取る第二ステップと、読み取った内容と携行品データ比較する第三ステップと、比較結果を報知する第４ステップとを備える物品忘れ防止方法。
【発明の詳細な説明】
【技術分野】
【０００１】  本発明は、携帯電話機、財布、鍵、そのほか重要な物品を外出時に忘れないように知らせることができる物品忘れ防止装置およびその方法に関する。
【背景技術】
【０００２】  近年、携帯電話機は急速に普及し各個人に１台を所有することが当たり前の社会になっている。くわえて携帯電話機には代金決済の機能がついているものもあり、カードと同じ様に携帯電話機での買い物が可能である。また自動販売機などは携帯電話機本体を自動販売機に近接や接触させることで購入できるなど非常に便利になっている。鉄道や航空機などの乗り物チケットの購入や座席の予約なども携帯電話機などで行うことができるし、定期券の代わりに、携帯電話機本体を改札の機械に近づけたり置いたりするだけ、さらには、何もしなくと携帯電話機をもっているだけで改札のチェック等を行うことができるようになっている。つまり携帯電話機があれば手間が要らず簡単にできてしまうので、携帯電話機が無くてはならない存在になっている。
【発明の開示】
【発明が解決しようとする課題】
【０００３】  そのような便利な携帯電話機であり、携帯電話機さえあれば、必要なことのほとんどが可能にすることができるようになっている。しかし大変に便利なものだけに、もし持ち忘れてしまった場合は非常に不便な結果となってしまうことになる。【０００４】  特に出勤時や外出時、自動車や乗り物から降りたときなど忘れてしまうことが非常に多い。その場合は早い時点で気がつけばとりに戻ればよく、大事には至らない。しかし気がつかずに外出し、その場を離れてしまい実際に利用しようとした時に忘れたことに気がついた場合、仕方なく買わなくても良い電車の切符を購入しないといけない場合や、航空機の予約も窓口に出向き行わなくてはならなくなり、大変わずらわしい事態となった。このような事態を防ぐために相互に無線電波を利用し２つの装置間の距離が一定距離離れると警告を出したりする装置が発明された。これは一方の装置を鞄やバッグなどにいれ、もう片方を使用者が所持をするもので、バッグなどと使用者の距離が離れると警告を行うものである。しかしこれは置忘れを防止するもので携行品をあらかじめ忘れたときには全く利用できないものである。
【課題を解決するための手段】
【０００５】  本発明は物品情報を記憶するメモリ部を備えた無線通信端末装置と、人の接近または移動を検知する検知部と、前記無線通信端末装置のメモリ部の情報を読み取る読取部と、携行品データを記憶した記憶部と、無線通信端末装置のメモリデータと携行品データを比較し判定結果を報知する報知部と、前記各部を制御する制御部を備え、人の接近、または移動を検知するとともに無線通信端末装置部のメモリデータを読み取り、携行品データとを比較し、比較結果にもとづいて報知部に報知させることを特徴とする物品忘れ防止装置を請求項１の発明とし、人体の接近または通過を判定する第一ステップと、無線通信端末装置内のメモリデータを読み取る第二ステップと、読み取った内容と携行品データ比較する第三ステップと、比較結果を報知する第４ステップとを備える物品忘れ防止方法を請求項２の発明とし上記課題を解決するものである。
【実施例】
【０００６】  図１は、物品忘れ防止装置のブロック図で、図２は本装置１の外観図である。【０００７】  以下図に従って説明する。図１で携帯電話機２には情報を記録しておく小さなＩＣチップと無線通信用のアンテナを組み合わせた無線通信端末装置のＩＣタグ３が貼付されている。このＩＣタグ３は非常に小さく薄くできているので、直接携帯電話機２に貼ることができる。貼る場所は携帯電話機２の場合は操作面ではなく邪魔にならない背面などに貼ることが望ましい。ＩＣタグ３にはこの携帯電話機２の電話番号や携帯電話機であることがデータとして記録されておりＩＣタグリーダー４から非接触での読み取りが可能になっている。本装置１の中央部にはセンサー８が備えられており、人がこのセンサー８の前を通過、接近すると反応するようになっている。また表示部６はＬＥＤやランプなどで構成され、忘れたと判定された場合点灯や点滅をして知らせるようになっている。ブザー７は前述のランプとともに動作させ光とあわせて音で知らせることができる。本装置１内部の制御部５はこれらの各部を制御したり検知したり判定をしたりする役目を持っている。メモリ５ａは忘れてはいけないもののデータ、つまり携行品データが記憶されている。具体的には「携帯電話機」「鍵」「財布」などが１６進数に置き換えられ記憶されている。【０００８】  本発明の一連の動作を順に説明する。まず本装置１内部のメモリ５ａにはデータで「携帯電話機」と記憶されている。この記憶内容は忘れてならないもの、外出時に使用者が持って出かけなければならないものを記憶するものである。ここで使用者が携帯電話機２を持たずに本装置１の前を通過したとする。すると本装置１の前面に備えられたセンサー８が人の通過、または近接したことをすぐさま検知し制御部５に伝える。のち制御部５はＩＣタグリーダー４を動作させ付近のＩＣタグ３の読み取り動作を開始する。読み取りの方法はＩＣタグリーダー４から無線電波を送出する。すると無線電波を受信したＩＣタグ３は受信した無線電波を電源とし、ＩＣタグ３内に記憶されたデータを無線電波にのせ送出を行う。この無線電波をタグリーダー４は受信しデータ内容を読み取る。もしＩＣタグ３が付近に存在しなければＩＣタグリーダー４は無線電波受信することが無い。つまり使用者は携帯電話機２を持っていないので、ＩＣタグ３からの応答が無いことになる。したがって制御部５は携帯電話機２が所持されていないと判断し、表示部６のランプを点滅させると同時にとブザー７を起動し警告する。【０００９】  また、もし携帯電話機２を持っている場合に外出した場合は、前述のようにＩＣタグリーダー４を起動しＩＣタグ３のデータを読み取る動作を行う。こうした場合、使用者は携帯電話機２をもっているので当然携帯電話機２に貼られたＩＣタグ３の「携帯電話機」のデータが受信できる。制御部５はこの読み取ったデータと忘れてはいけないものが記憶された携行品データが入ったメモリ５ａとを比較を行う。比較した結果、忘れてはいけない「携帯電話機」データと使用者が持っているＩＣタグ３のデータ「携帯電話機」が同一と判断し制御部５は使用者が携帯電話機２を持って外出しようとしているので警告動作を行わない。【００１０���  また使用者が２つの携帯電話機２を所持している場合などは携行する携帯電話機２の方の電話番号をメモリ５ａに「携帯電話機  ０９０○○・・・」というように記憶を行い、該当する携帯電話機２に同じ様に「携帯電話機  ０９０○○・・・」と記憶されたＩＣタグ３を貼ればよい。こうした場合ＩＣタグリーダー４が読み取る際に携帯電話機２であることはもちろん携帯電話機２の電話番号も読み取り照合することで特定の携帯電話機２を所持したかも判断できるようになり、もし別の携帯電話機２を持って出ようとしても警告ランプやブザーがなり使用者は即座に間違いに気づくことになる。【００１１】  つぎに、もし携帯電話機２を忘れＩＣタグ３のデータが「財布」と記憶されたＩＣタグ３を貼った財布をもって外出した場合を説明する。同様にＩＣタグリーダー４はＩＣタグ３のデータを読み取るが「財布」のデータのみ読み取ることになる。制御部５は読み取った「財布」データをメモリ内にある、忘れてはいけない項目のデータと照合を行う。メモリにあるデータは「携帯電話機」が登録されているので、読み取ったデータと照合しても合致しない。したがって制御部は「携帯電話機」が忘れてあることが簡単に判別できるので表示部に警告表示、ブザー部を鳴動し使用者に注意を促すことができる。【００１２】  ここでは携帯電話機２にＩＣタグ３を貼付したが、忘れてはいけない物、たとえば鍵、手帳、財布、パソコン、書類などに貼付し、忘れてはいけないメモリ５ａに登録しておけば、携行する必要のあるものを忘れても容易に警告表示することができる。くわえて、表示部６を文字の表示できるように構成したうえ、メモリ内とＩＣタグ３データを照合すれば簡単に忘れ物の種別が判断できるため、表示部６に「携帯電話機」「財布」「鍵」などと表示すれば忘れたものが何か一瞬にして判断できる。忘れ物がないと判断した場合は表示部の色を緑で点灯させるなどすればよりわかりやすくなるし、「携帯電話機  父」「財布  父」「鍵  父」「携帯電話  長女」とＩＣタグ３データに登録したものを貼付して読み取るときに「父」「長女」を含め判定すれば間違って自分以外の持ち物を持ち出してしまわないようにすることもできる。また説明では表示と音で報知してあるが表示だけ、音だけにしてもよく、この場合は構成が簡単になる。【００１３】  次に明確に外出時だけに反応したい場合の例を図３に示す。本装置１にははセンサーを２つ備えセンサー８ａを自宅の中、センサー８ｂが自宅の外になるように設置する。すなわちセンサー８ａが反応した後にセンサー８ｂが反応すれば外出時、センサー８ｂの後にセンサー８ａが反応すれば帰宅時と判断することができる。すなわちセンサー８ａ，８ｂの人体を検知する時間差を制御部５が判断し入出の方向が特定できる。つまり帰宅時と判断した場合は警告をする必要がなくなるので使用者は帰宅時には警告されることが無く、わずらわしさが無くなる。【００１４】  また本装置１の、人の接近や通過を検知するセンサー８であるが、人体が検知できるものであれば、いずれでも良い。つまり使用者が確実に持ち出すもの、たとえば財布、鞄等、これらにＩＣタグ３をはり、センサー８を使わずにＩＣタグリーダー４がこのＩＣタグ３データを読み取ったとき人体近接と判断し忘れ物が無いかを比較しても良い。また財布と携帯電話を必ずもってでる、ということにしたいのであれば財布と同時に携帯電話を検知しどちらかでも検知できなければ報知するなどにしてもよい。【００１５】  実施例ではセンサー８、表示部６、ブザー部７、ＩＣタグリーダー４部をまとめた装置にしてあるが必ずしも一体型にする必要は無く、センサー８などを外部に出し、表示部６をドアの部分に設置し、見えやすい位置におくなどすればさらに視認性が向上する。説明の都合上ＩＣタグ３の動作をＩＣタグリーダー４側から無線電波を送出し読み取り動作を行うように記述してあるが、ＩＣタグ３内に電池などの電源をあらかじめ内蔵しＩＣタグ３のデータを無線電波にて送出しても良い。また本発明はＩＣタグに限定するものではなくデータを記憶でき、無線電波でデータを読み取るものであれば同一の効果が得られる。【００１６】  実施例では外出時などの利用を説明した。大変便利な携帯電話機であるがもし外出時に紛失や置忘れをしてしまった場合、無断で他人に使用される恐れがあり、後に膨大な費用の請求がきたりすることもある。そのため外出時に持って出た携行品をＩＣタグ３の読み取り時に本装置のメモリ５ａに記憶を行う。その後、帰宅時においても同様に携行品に貼られたＩＣタグ３のデータを読みとり、外出時にもってでた携行品との照合を行っても良い。この場合照合した結果が合致しない携行品が存在した場合、外出時にどこかへの置忘れ、紛失などが明確になる。つまり帰宅した瞬間に判明するのでより早く携行品の所在を明らかにすることができる。携帯電話機であればより早い利用停止の処置を行うことができる。つまりは無断使用などの被害を最小限に食い止めることができることになり社会への寄与は絶大である。
【発明の効果】
【００１７】
【００１８】  本発明に係わる発明により、携行品の忘れものが減少し、特に利便性の高い携帯電話機を持ち忘れて外出してしまうことを防止することができる。またＩＣタグは非常に小さな薄いものであるので必要な携行品や重要な携行品などにも簡単に貼付することができる。つまり携帯電話機に限定されること無く利用者が必要とされるものに簡単に貼り付け利用することができる。実施例ではＩＣタグを携行品などに貼り付けるように説明したが携帯電話機の本体の内部などにあらかじめ内蔵しておけばＩＣタグが衝撃を受けて故障してしまったり、はがれて落下したりしないので安定した構成が取れることになる。
【図面の簡単な説明】
【００１９】
【００２０】
【図１】本発明に係わるブロック図である
【図２】本発明に係わる外観図である。
【図３】本発明に係わる構成図である。
【符号の説明】
【００２１】    １    …  本装置
２    …  携帯電話機
３    …  ＩＣタグ
４    …  ＩＣタグリーダー
５    …  制御部
５ａ  …  メモリ部
６    …  表示部
７    …  ブザー
８    …  センサー
８ａ  …  センサー
８ｂ  …  センサー
９    …  人
【図１】
2007048248.tif 000003
【図２】
2007048248.tif 000004
【図３】
2007048248.tif 000005